(57)【要約】【課題】放香気体を供給する際に供給点からの距離の如何に関わらず放香気体の濃度の変化を抑制する放香システムに関する。【解決手段】  放香気体を管の長さ方向に沿って供給する配管と、放香気体を圧送する少なくとも２台のコンプレッサと、を有し、前記２台のコンプレッサは、前記配管の気体供給口にそれぞれ連通され、前記配管内に前記放香気体をそれぞれ供給することにより、供給点である前記コンプレッサから離れた箇所で濃度が低下した放香気体を、前記離れた箇所で混合させることにより、放香気体を補充することなく、放香気体の濃度を改質させる。【選択図】図１
2018046938.tif 000002
【特許請求の範囲】
【請求項１】
放香気体を供給する放香システムにおいて、
前記放香気体を管の長さ方向に沿って供給する配管と、
前記放香気体を圧送する少なくとも２台のコンプレッサと、を有し、
前記２台のコンプレッサは、前記配管の気体供給口にそれぞれ連通され、前記配管内に前記放香気体をそれぞれ供給するものであることを特徴とする放香システム。
【請求項２】
前記配管は、前記気体供給口側から長さ方向に沿って前記配管内の放香気体を分散させる分岐管を有し、
前記コンプレッサは、前記配管の両端の気体供給口から離れた前記配管内に向けて前記放香気体を圧送するものであることを特徴とする請求項１に記載の放香システム。
【請求項３】
前記少なくとも２台のコンプレッサによる前記放香気体の圧送方向を、前記配管の前記両端の気体供給口から離れた前記配管内に向けた方向に揃えたことを特徴とする請求項１又は２に記載の放香システム。
【請求項４】
前記分岐管に連通し、前記配管から前記分岐管に分岐された前記放香気体を放射する放射部を有することを特徴とする請求項２に記載の放香システム。
【請求項５】
前記放射部は、観客の鼻孔に接近して前記放香気体を放射する気体放射口を有することを特徴とする請求項４に記載の放香システム。
【請求項６】
前記放射部は、耳掛けタイプであることを特徴とする請求項４又は５に記載の放香システム。
【発明の詳細な説明】
【技術分野】
【０００１】
本発明は、放香気体を供給する際に供給点からの距離の如何に関わらず放香気体の濃度の変化を抑制する放香システムに関する。
【背景技術】
【０００２】
映画や演劇、音楽の鑑賞時の演出として、上映シーンや演目に合わせて、放香器による匂いを放出する演出が提案されている。その提案の一つが特許文献１に開示されている。特許文献１に記載の発明では、香を供給するために、映画館内に１箇所の供給点に複数の導管が放射状に配置されている構造が開示されている。具体的には香制御ボックス７を加圧エアー導管８に接続し、この加圧エアー導管８は加圧エアー源、特に電動コンプレッサ６から加圧エアーが供給される。加圧エアー導管８は香制御ボックス７から主分配器１１に延びていて、主分配器のところで、複数の主導管３５に分岐され、更に中間分配器１４に導く。中間分配器１４で主導管３５は更に複数の小さい分配導管３６に分れて末端分配器に導かれる。分配導管３６は更に小さな個別導管３７に分れ、最後に香供給口２８に達する。このように、一台の電動コンプレッサ６の一点供給による加圧エアーによって、香が香制御ボックス７から前記の導管類を経由して総ての香供給口２８まで供給される。
【先行技術文献】
【特許文献】
【０００３】
【特許文献１】特開２００２−３１５９７５
【発明の概要】
【発明が解決しようとする課題】
【０００４】
特許文献１では、電動コンプレッサ６から加圧エアーの供給は、一方向から上記の放射状に配置された配管・分岐を経由して、端部の香供給口２８まで供給されるため、香供給口２８を各人に宛がうためには、香制御ボックス７から香供給口２８までの配管構造を各人毎に設置する必要があり、設置費用が嵩張ることになる。
【０００５】
設置費用が嵩張るのを抑えるには、１本の配管から配管の長さ方向で分岐して複数の観客に匂いを供給することが考えられる。しかし、１本の配管の長さ方向で分岐して匂いを供給する構造では、放香気体の供給点から近い点で分岐した放香気体の濃度は供給時の濃度との差がないが、供給点から離れるに従って放香気体の濃度が低下し、供給点から離れた位置に居る観客にとっては、匂いによる演出を十分に味わうことができないという課題が生じる。
これを解決するには、供給点からの距離に応じて放香気体を補充することも考えられるが、その補充を行う場合、別途必要となる設備費用の軽減の観点からさらなる改良が必要となる。
【０００６】
本発明の目的は、上記課題を解決すべく成されたものであり、放香気体を補充することなく、供給点から離れた箇所での放香気体の濃度の低下を抑制する放香システムを提供することにある。
【課題を解決するための手段】
【０００７】
本発明に係る、放香気体を供給する放香システムは、前記放香気体を管の長さ方向に沿って供給する配管と、前記放香気体を圧送する少なくとも２台のコンプレッサと、を有し、前記２台のコンプレッサは、前記配管の気体供給口にそれぞれ連通され、前記配管内に前記放香気体をそれぞれ供給するものであることを特徴とする。
【０００８】
本発明に係る、放香システムの前記配管は、前記気体供給口側から長さ方向に沿って前記配管内の放香気体を分散させる分岐管を有し、
前記コンプレッサは、前記配管の両端の気体供給口から離れた前記配管内に向けて前記放香気体を圧送するものであることを特徴とする。
【０００９】
本発明に係る、放香システムは、前記少なくとも２台のコンプレッサによる前記放香気体の圧送方向を、前記配管の前記両端の気体供給口から離れた前記配管内に向けた方向に揃えたことを特徴とする。
【００１０】
本発明に係る、放香システムは、前記分岐管に連通し、前記配管から前記分岐管に分岐された前記放香気体を放射する放射部を有することを特徴とする。
【００１１】
本発明に係る、放香システムの前記放射部は、観客の鼻孔に接近して前記放香気体を放射する気体放射口を有することを特徴とする。
【００１２】
本発明に係る、放香システムの前記放射部は、耳掛けタイプであることを特徴とする。
【発明の効果】
【００１３】
本発明によれば、放香気体を管の長さ方向に沿って供給する配管と、前記放香気体を圧送する少なくとも２台のコンプレッサと、を有し、前記２台のコンプレッサは、前記配管の気体供給口にそれぞれ連通され、前記配管内に前記放香気体をそれぞれ供給することにより、供給点であるコンプレッサから離れた箇所で濃度が低下した放香気体を前記離れた箇所で混合させることにより、放香気体を補充することなく、放香気体の濃度を改質させることができる。
【００１４】
また、少なくとも２台のコンプレッサによる前記放香気体の圧送方向を、前記配管の前記気体供給口から離れた前記配管内に向けた方向に揃えたことにより、２台のコンプレッサからの圧送による気体の流れを合流することで、供給点であるコンプレッサから離れた箇所で濃度が低下した放香気体を前記離れた箇所で混合させることになり、放香気体を補充することなく、放香気体の濃度を改質させることができる。
【００１５】
本発明は、配管が、前記気体供給口側から長さ方向に沿って前記配管内の放香気体を分散させる分岐管を有し、前記コンプレッサは、前記配管の両端の気体供給口から離れた前記配管内に向けて前記放香気体を圧送することにより、複数の分岐管に同時に放香気体を送ることができる。
【００１６】
また、分岐管の本数を増加したり、配管の形状を直線、曲線、円形等に配置することができ、設置に関して大規模、小規模のスペースを問わず、屋外でも使用することが可能である。また、本発明を座席に取付ける場合も大規模な演出装置や設置構造を必要としないことから、設置費用を抑えて放香を演出することが出来る。
【００１７】
また、分岐管に連通し、配管から分岐管に分岐された前記放香気体を放射する放射部を有し、さらに、放射部に観客の鼻孔に接近して前記放香気体を放射する気体放射口を設けることにより、確実に各観客全員が匂いによる演出を十分に味わうことができる。
また、観客一人分の香りをそれぞれ少量だけ放香するので、放香器のコンプレッサが低出力でも、観客全員に放香することができる。また、少量だけ放香するので、空間内に香りが充満することなく使用することができる。
また、コンプレッサを駆動して、気体放射口から瞬間的に放香することができるので、映画・演劇等の上映シーンや演目と同期化して効果的な放香の演出ができる。
【００１８】
また、前記放射部は、耳掛けタイプであり、鼻孔に接近して前記放香気体を放射する気体放射口を設けることで、観客は両手が空いたまま使用することができる。
【００１９】
また、放香器が配管の両端部に設けられることにより、放香器に容易にアクセス可能であり、芳香剤の補充としてカートリッジの交換等のメンテナンスが容易である。
【００２０】
更に、本発明の放香システムは、設置や撤去が容易であり、放香設備が必要なときにのみ、速やかに設置・撤去することが可能である。
【００２１】
また、本発明に係る放香システムは、小出力のコンプレッサを使用することによって、コンプレッサの動作音を小さくすることが出来るので、観客に動作音を煩わせることなく、放香することが出来る。
【図面の簡単な説明】
【００２２】
【図１】本発明に係る放香システムの構成を示す図である。
【図２】（ａ）は、放香器の外観を示す斜視図であり、カートリッジに配管を接続した状態を示す図、（ｂ）は、カートリッジのパイプ等の接続状態を示す図である。
【図３】放香システムにおける放香器の構成を示すブロック図である。
【図４】放香システムにおける動作の流れを示すフローチャートである。
【図５】放香システムにおける配管の長さ方向での濃度の変化について説明する図であり、（ａ）は、コンプレッサで一端の気体供給口のみから放香気体を供給する構造を示す図、（ｂ）はコンプレッサが圧送を行っている場合の濃度の変化を示す図である。
【図６】映画館における放香システムの構成を示す図である。
【図７】（ａ）は放射部としての耳フックタイプの構成を示す図、（ｂ）は放射部としてのメガネタイプの構成を示す図である。
【図８】放香システムにおける他の実施形態の構成を示す図である。
【発明を実施するための形態】
【００２３】
以下図面を参照して、本発明に係る放香システムを実施するための形態について説明する。なお、本発明の放香システムは、放香気体を供給する際に供給点からの距離の如何に関わらず放香気体の濃度の変化を抑制するようにしたものである。
【００２４】
図１は、本発明に係る放香システムの構成を示す図である。図１に示すように、放香システム１は、放香気体を供給する配管５と、配管５の両端に設置された一対の放香器１０、１１と、配管５（本管）上に設けられて流路を分岐する三方管７と、三方管７で配管５から分岐した分岐管８と、分岐管８の端部に設けられた放射部５０とからなる。
【００２５】
なお、放香気体とは、芳香剤から揮散する芳香気体を含み、香り、匂いを有する気体すべてをいう。
【００２６】
配管５は、中空で内部に放香気体を流通させる流路を有する中空の管である。配管５は柔軟性を有し、配管途中に三方管７を容易に接続することができる材質を用いる。例えば、ポリ塩化ビニル、ソフトポリプロピレン、等が好適である。また、配管５に柔軟性を有する材質を使用することにより、配管５の設置を直線のみならず、曲線、円形等に配置することができ、且つ撤去を容易に行うことができる。また、配管５の径の大きさは、配管５の長さ、三方管７及び分岐管８の個数、各分岐管８に圧送する放香気体の流量等から決めるようにする。
【００２７】
分岐管８は、配管５から分岐し、配管５と同様に中空で内部に放香気体を流通させる流路を有する管であり、配管５と同様に柔軟性を有するポリ塩化ビニル、ソフトポリプロピレン、等の材質を用いると好適である。一端は三方管７を介して配管５に接続され、他端は観客に対して放香気体を放出する放射部５０を有している。
【００２８】
分岐管８の内径は、配管５の内径と同じか、小さくする。内径を小さくすると、配管５から分岐管８に流れ込む放香気体の流速を早くすることができ、放香気体を放射部５０から勢いよく遠くまで放つことができる。
【００２９】
放香器１０、１１は、配管５の気体供給口６に接続され、配管５内に放香気体を供給する機能を有する。放香器１０、１１は同一なものであり、放香システム１では一対の放香器１０、１１として動作する。
放香器１０、１１は、コンプレッサ２０からカートリッジ１３内に圧縮空気を圧送（送風）し、カートリッジ１３内で霧化、揮散した芳香剤と混合し、放香気体として、配管５に圧送するものである。
【００３０】
図２及び図３を用いて放香器１０，１１について説明する。
図２（ａ）は、放香器１０の外観を示す斜視図であり、カートリッジに配管を接続した状態を示す図、図２（ｂ）は、カートリッジのパイプ等の接続状態を示す図、図３は、放香システムにおける放香器の構成を示すブロック図である。
【００３１】
先ず、図２（ａ）及び図２（ｂ）に示すように、配管５はカートリッジ１３上部の吐出口１７に接続されている。カートリッジ１３の上部の流入口１６には、図３に示すコンプレッサ２０からの圧縮空気を送るパイプ１８が接続されている。
【００３２】
図２（ａ）に示すように、放香器１０の前面パネル１２の固定を外して、前面パネル１２を点線で示すように手前に倒すことにより、カートリッジ１３が露出する。
【００３３】
次に、図３は、放香システムにおける放香器の構成を示すブロック図を用いて説明する。放香システム１における放香器１０、１１は、放香気体として、例えば、芳香剤の霧化した気体を配管５に圧送（送風）するものである。
【００３４】
図３に示すように、放香器１０、１１は、カートリッジ１３と、コンプレッサ２０と、駆動部２２と、制御部２５とから構成されている。カートリッジ１３は、例えば、芳香剤１４を収納してコンプレッサ２０からの圧縮された空気が流入する流入口１６と、霧化した芳香剤を外部に吐き出す吐出口１７とを有している。吐出口１７は配管５の気体供給口６に接続される。
【００３５】
カートリッジ１３は、内部に芳香剤１４が収容される容器であり、例えば、ポリ塩化ビニル、ソフトポリプロピレン、ポリエチレンテレフタレート、等の合成樹脂の成形、ガラス等によって構成される。内部の芳香剤１４が減少、劣化した場合は、カートリッジ１３そのものを放香器１０から取り出して交換する。
【００３６】
カートリッジ１３の交換について説明する。取り出し方法として、カートリッジ１３とコンプレッサ２０とをつなぐパイプ１８を流入口１６から外し、及び吐出口１７と気体供給口６（配管５）の接続を外す。取り付け方法として、新たなカートリッジ１３本体を放香器１０の所定の位置に挿入して固定し、新たなカートリッジ１３とコンプレッサ２０とをつなぐパイプ１８を流入口１６に接続し、及び吐出口１７と気体供給口６（配管５）を接続する。これにより、放香器１０のカートリッジ１３の交換は、容易に行うことができる。
【００３７】
芳香剤１４は、芳香成分を含有した液体であり、カートリッジ１３内で霧化、揮散がされる。液体を霧状にして微粒子化し、例えば、粒子を１０マイクロメートル程の大きさにして、コンプレッサ２０から圧送された空気と放香成分が混合して放香気体となる。
【００３８】
尚、芳香剤１４は、液体の芳香材料に限らず、芳香成分が揮散する芳香材料であってもよい。例えば、芳香剤１４として、常温で芳香成分が揮散する液体状の芳香材料を、ビーズ状、ジェル状、又は、保持剤に含浸させた状態でカートリッジに収容するようにしてもよい。芳香剤１４の収容状態は、芳香成分の揮散を妨げなければその形態は限定されず、例えばゲル化剤を添加することによってビーズ状又はジェル状とし、また、シリカゲル、不織布、フェルト、紙材などの保持剤に含浸させるようにしてもよい。
【００３９】
流入口１６は、パイプ１８を介してコンプレッサ２０と接続されている。これにより、カートリッジ１３内の流入口１６と霧化した芳香成分を含む気体が流れる流路とが互いに連通する。
【００４０】
カートリッジ１３の吐出口１７は、気体供給口６と接続され、配管５に連通している。これにより、カートリッジ１３の気化した芳香剤１４が空気と混合し、放香気体として配管５に供給される。
【００４１】
このようにして、放香器１０、１１のコンプレッサ２０から、パイプ１８、カートリッジ１３の流入口１６、吐出口１７、気体供給口６及び配管５とがつながって流路を構成しており、この流路には気体が満たされている。コンプレッサ２０を駆動すると、流路の気体に対して所定の圧力が加わるため、カートリッジ１３の吐出口１７から外部の配管５へ圧送される気体の流れが生じる。
【００４２】
また、放香システム１においては、コンプレッサ２０が駆動されたときに流路内の気体が加圧され、これによって芳香成分を含んだ気体が外部へ圧送されるが、コンプレッサ２０が駆動されていない期間には加圧されないため、芳香剤１４の流出を抑えることができる。
【００４３】
コンプレッサ２０は、カートリッジ１３に圧縮空気を供給する。コンプレッサ２０は、制御部２５からの信号によって、カートリッジ１３への圧縮空気の供給、停止を行う。コンプレッサ２０を必要時のみ駆動させることによって、カートリッジ１３への圧縮空気を供給するので、芳香剤１４が短期間に減少したり、空気に触れることで経時的な匂いの変化を極小化することができ、カートリッジ１３（芳香剤１４）の交換までの期間を長くすることができる。
【００４４】
制御部２５は、タイマ等を内蔵した制御回路を有し、入力装置（図示せず）によりコンプレッサ２０の駆動の開始、駆動時間、停止動作の時間等が設定されている。制御部２５は、設定された内容に基づいて駆動部２２を介してコンプレッサ２０を制御する。駆動部２２は、制御部２５からの信号に基づいてコンプレッサ２０の始動、停止を行う。
【００４５】
また、制御部２５は、コンプレッサ２０の出力を調整して、圧送する圧縮空気の圧力、流量を可変することにより、カートリッジ１３から放出される芳香剤の濃度を変えることができる。また、制御部２５は、外部の発信機からのリモート信号によりコンプレッサ２０の駆動、開始、駆動時間、停止動作を行うことを可能としてもよい。
【００４６】
以上、放香器１０にカートリッジ１３を１個搭載する例を説明したが、放香器１０に複数個のカートリッジ１３を搭載し、制御部２５でコンプレッサ２０から圧送する先のカートリッジ１３を切り替えて、複数の芳香剤１４を使い分けるようにしてもよい。
【００４７】
次に、放香システム１の動作原理について図４を用いて説明する。図４は、放香システムにおける動作の流れを示すフローチャートである。
【００４８】
図４に示すように、最初に放香器１０、１１に同時にトリガ信号が発せられ、放香器１０、１１の制御部２５に出力される（ステップＳ１）。トリガ信号は、外部の装置（図示せず）からの信号であって、例えば、映画の画像投影機が所定の上映シーンに近づいたときに、これに連動して放香器１０、１１の制御部２５へトリガ信号が出力される。
【００４９】
次に制御部２５は、トリガ信号に基づいて指示信号を駆動部２２へ出力する（ステップＳ２）。そして、駆動部２２は、駆動信号をコンプレッサ２０へ出力する（ステップＳ３）。この駆動信号は、トリガ信号を受けた制御部２５からの指示信号にしたがって発生する信号であって、例えばオン・オフを示す矩形波の信号である。
【００５０】
コンプレッサ２０は、駆動信号を受信することによって駆動され、駆動信号を受信し、圧縮空気（気体）を流路に圧送する（ステップＳ４）。
【００５１】
制御部２５は、トリガ信号がオフしたことを検知してコンプレッサを停止する信号を駆動部２２に出力する（ステップＳ５）。
【００５２】
このように、放香システム１における一対の放香器１０、１１は同期して動作するようになっており、制御部２５によって、所定のタイミングでコンプレッサ２０が駆動されてコンプレッサ２０から圧送された気体は、パイプ１８を介して流入口１６、流路に流入し、流路と、カートリッジ１３内で芳香成分と混合されて、吐出口１７から芳香成分を含んだ気体が圧送される。例えば、映画で前もって設定した放香する上映シーンに達する直前に映像投影機からトリガ信号が放香器１０、１１の制御部２５に信号を出力されて、配管５に芳香成分を含んだ気体が圧送される。
【００５３】
次に、上記構成からなる放香システム１が放香気体を供給する際に供給点からの距離の如何に関わらず放香気体の濃度の変化を抑制することについて図５を用いて説明する。図５（ａ）（ｂ）は、放香システムにおける配管の長さ方向での濃度の変化について説明する図である。
【００５４】
図５（ａ）は、１本の配管５に一端の気体供給口６からのみコンプレッサ２０で放香器１０から揮散した放香気体を圧送した際に、コンプレッサ２０側の供給点に近い配管５中における放香気体の濃度は供給時の濃度に保たれるが、配管５の長さ方向で順次分岐させた分岐管８から放香気体を順次放出すると、配管５の一端の気体供給口６から離れた箇所では放香気体の濃度が低下する傾向にある。
【００５５】
図５（ａ）に示すように、コンプレッサ２０で一端の気体供給口６のみから放香気体を供給する構造では、一端の気体供給口６から離れた箇所では放香気体の濃度が低下し、配管５内部の放香気体の濃度分布にばらつきが生じる。
つまり、放香気体の供給点である放香器１０，１１から近い点で配管５から分岐した分岐管８に流入する放香気体の濃度は供給時の濃度との差がないが、供給点から離れるに従って放香気体の濃度が低下し、供給点から離れた点で配管５から分岐した分岐管８に流入する位置に居る観客にとっては、匂いによる演出を十分に味わうことができないという課題が生じる。
【００５６】
本発明では図５（ｂ）に示すように、２台のコンプレッサ２０，２０を配管５の両端の気体供給口６，６にそれぞれ連通し、配管５内に放香気体をそれぞれ供給する。その際、前記少なくとも２台のコンプレッサ２０，２０による放香気体の圧送方向を、配管５の気体供給口６，６から離れた配管５内に向けた方向に揃える、具体的には配管５が気体供給口６側から長さ方向に沿って配管５内の放香気体を分散させる分岐管８，８・・・を有しているため、コンプレッサ２０で配管５の両端の気体供給口６，６から離れた配管５内に向けて放香気体を圧送している。２台のコンプレッサ２０，２０による放香気体の圧送方向を、配管５の両端の気体供給口６，６から離れた配管５内に向けた方向に揃えることが必要である。
【００５７】
以上の構成を採用することにより、放香器１０、１１のコンプレッサ２０から配管５の流路内へ気体供給口６から離れた配管５内に向けた方向へ放香気体の圧送を行うと、配管５の両端の気体供給口６から離れた配管５内で放香気体の濃度が低下する傾向にあるが、放香気体の圧送方向が配管５の気体供給口６から離れた方向で逆向きに設定されているため、濃度が低下した放香気体同士が配管５の気体供給口６から離れた配管５内で混合することになる。濃度が低下した放香気体同士が気体供給口６から離れた配管５内で混合することになり、配管内での放香気体の濃度が改質されることになる。以上のように、放香気体が混じり合うことにより、配管５の流路内での放香気体の濃度の低下を抑制することができる。
【００５８】
このように、供給点から離れた箇所での放香気体の濃度の低下を抑制し、放射部５０から観客が感じることができる濃度で放香することにより、観客はどの放射部５０を使用しても匂いによる演出を十分に味わうことができる。
【００５９】
［実施例］
以下、本発明の実施例として、映画館・劇場で観客が着席する座席に、放香システム１を設置した例を、図６乃至図８を用いて説明する。
【００６０】
図６は、映画館で使用する放香システム１の構成を示す図であり、（ａ）は正面図、（ｂ）は側面図である。図７（ａ）は、放射部としての耳フックタイプの構成を示す図、図７（ｂ）は、メガネ（ゴーグル）形状を示す図である。
【００６１】
図６（ａ）に示すように、放香システムにおける放香気体を供給する配管５は、例えば、映画館におけるスクリーンと水平状態に設置された複数の座席（観座席）４０の横１列に沿って設置されている。また、図６（ａ）、（ｂ）に示すように、座席４０の両端外側、もしくは両端座席下には、配管５の両端（気体供給口６）に接続された放香器１０、１１が設置されている。映画館等であれば、放香器１０、１１は座席列の間の通路、階段等に設置できるが、座席下に設置する方が邪魔にならず、安全面から見てもより好適である。座席４０の個数は特に限定されるものではなく、分岐管８と同じく２個以上であればよく、座席４０が多く、配管５が長い場合には、配管５に接続する放香器１０の数を増やしてもよい。
【００６２】
配管５は、例えば、座席４０下方の床面に設置されている。配管５の座席４０毎にＴ字型の三方管７が設けられており、三方管７の１方路は、放香気体を座席４０に流す分岐管８に接続されている。分岐管８は座席４０の背面に設置され、観客の頭部付近に引き出されるように設置される。分岐管８の先端には、放香気体を放射する放射部５０が設けられている。
【００６３】
このように、映画館における放香システム１は、配管５が座席４０下方の床面に設けられており、放射部５０は座席４０の背面から引き出されているため、従来の座席のレイアウト等を変更することなく設置することができる。また、配管５の設置位置はこれに限られるものではなく、座席４０の背面等、設置場所の形状等や状況に応じて設置するようにしてもよい。
【００６４】
次に、放香気体を放香する放射部５０について図７を用いて説明する。図７（ａ）は、放射部としての耳フックタイプの構成を示す図、図７（ｂ）は、耳フックタイプの別の形状の使用例を示す図である。
【００６５】
図７（ａ）に示すように、放射部５０は、チューブ５９が分岐管８の先端部に接続具（図示せず）等で接続されている。係員又は観客は、座席４０に着席時に、分岐管８と放射部５０の接続をする。あるいは、あらかじめ分岐管８とチューブ５９が一体で固定されている形状のものでも良い。
【００６６】
図７（ａ）に示すように、放射部５０としての耳フックタイプ５５は、耳の外周に沿ってチューブを掛ける耳掛け式である。耳掛け部５８の先端から延伸される変形可能な放射チューブ５７で形成することにより、気体放射口である放出口５６が鼻孔付近に位置するように、観客が調整できることが望ましい。
【００６７】
放香器１０、１１からの放香気体は、配管５、三方管７、分岐管８に連接されたチューブ５９、及び放射チューブ５７を経由して耳フックタイプ５５の放出口５６から放香される。これにより、映画の上映シーンに同期して放香することにより、観客は匂いによる演出を十分に味わうことができる。
【００６８】
また、放射部５０は、図７（ｂ）に示す、メガネ（ゴーグル）タイプであってもよい。
図７（ｂ）は、放射部としてのメガネタイプの構成を示す図である。図７（ｂ）に示すように、メガネ（ゴーグル）タイプ６５は、例えば、立体映像用のメガネフレームのテンプル６８にチューブの一部が固定されて、変形可能な放射チューブ６７を変形させて放出口６６が鼻孔付近に位置するように調整可能である。
【００６９】
また、放出口６６には、放香気体を放出／遮断する開閉バルブ６９を備えるようにしてもよい。これにより、放香気体を嗅ぐことを避けたい観客は開閉バルブ６９を閉じて、放香しないようにすることができる。
【００７０】
尚、開閉バルブ６９の設置位置は限定するものではなく、分岐管８の端部や、チューブ５９の途中等、観客が座席４０内で着席したまま容易に操作できる範囲内に設けるようにしてもよい。また、図７（ａ）の耳フックタイプの放射部５０に設けてもよい。
【００７１】
尚、観客の鼻孔に接近して放香気体を放射する放射部は、耳フックタイプ、メガネ（ゴーグル）タイプについて述べたが、耳フックタイプ、メガネ（ゴーグル）タイプの形状はこれに限定するものではなく、観客の鼻孔に放香気体を放射できるものであればよい。また、遊園地等での遊戯機で着用するヘルメット内に放射部を設けるようにしてもよい。
【００７２】
次に、図６に示す映画館における放香システム１の動作について説明する。
まず、制御部２５（図３に示す、以下同じ）にトリガ信号を送るタイミングをあらかじめ決定しておく。例えば、映画の１シーンに合わせて放香する時間を決めておく。その時間に合わせて放香器１０、１１のそれぞれの制御部２５にトリガ信号を送るタイマ装置（図示せず）や、リモート信号を送るようにする。トリガ信号には、圧送の時間や、間隔、圧送の空気量の指示を含めるようにする。
【００７３】
前記の映画で放香の上映シーンになると、放香器１０、１１のそれぞれの制御部２５に対して同時にトリガ信号が送信される（図４に示すステップＳ１）。
【００７４】
次に放香器１０、１１のそれぞれの制御部２５は、前記トリガ信号に基づいて指示信号を駆動部２２（図３に示す、以下同じ）へ出力する（図４に示すステップＳ２）。そして、駆動部２２は、駆動信号をコンプレッサ２０へ出力する（図４に示すステップＳ３）。この駆動信号は、前記トリガ信号を受けた制御部２５からの指示信号にしたがって発生する信号であって、例えばオン・オフを示す矩形波の信号である。
【００７５】
コンプレッサ２０は、駆動信号を受信することによって駆動され、駆動信号を受信し、所定の時間、空気量である圧縮空気（気体）を流路であるパイプ１８（図３に示す）に圧送する（図４に示すステップＳ４）。
【００７６】
制御部２５は、トリガ信号がオフしたことを検知してコンプレッサ２０を停止する信号を駆動部２２に出力する（図４に示すステップＳ５）。
【００７７】
図１及び図３に示すように、コンプレッサ２０から圧送された圧縮空気は、パイプ１８を通過して、カートリッジ１３の流入口１６から、カートリッジ１３の内に入る。圧縮空気はベルヌーイの法則により、芳香剤１４を筒状部で流入口１６近傍まで吸い上げ、霧吹きの原理で芳香剤１４をカートリッジ１３内の空気中に霧散させる。また、芳香剤１４が自然に揮散した放香剤も圧縮空気と混合し、放香気体となり、放香気体に含まれる芳香剤の濃度が増すことになる。そして、放香気体がカートリッジ１３内から吐出口１７へ圧送され、気体供給口６を経由して配管５に放香気体が圧送される。この時、供給点である放香器１０、１１から同時に圧送される放香気体の圧送方向を、供給点から離れた分岐管８に向けた方向に揃えて圧送ことにより、配管５の流路内で放香器１０、１１から同時に圧送された放香気体が混合することになる。
【００７８】
そして、分岐管８から放射部５０に放香気体が流入し、図７（ａ）（ｂ）に示す放射部５０の先端である放出口５６から放香気体が、観客の鼻孔付近に放香される。
【００７９】
このように、放香を行いたい上映シーンでのトリガ信号の送信から、観客の鼻孔付近への放香までの処理を瞬間的に実行することができるので、放香を行いたい映画や演劇、音楽等の上映シーンや演目と、放香のタイミングに時間差が無く同期化して効果的な放香の演出ができる。また、分岐管８ごとの濃度の変化を改質できるため、観客はどの座席４０にすわっても、匂いによる演出を十分に味わうことができる。
【００８０】
また、観客一人分の香りを少量だけ放出口５６から放香すればよく、放香器１０のコンプレッサ２０が低出力でも、総ての放出口５６（分岐管８）に対して放香することができる。また、放出口５６からは一人が嗅ぎ取れる程度に少量だけ放香するので、空間内に香りが充満することなく使用することができる。
【００８１】
また、小出力のコンプレッサを使用することによって、コンプレッサの動作音を小さくすることが出来るので、観客に動作音を煩わせることなく、放香することが出来る。
【００８２】
また、放射部５０は、耳掛けタイプであり、観客は両手が空いたまま、鼻孔に接近して放香気体を放射する放出口５６（気体放射口）を支持することができる。
【００８３】
また、放香器が配管の両端部に設けられることにより、放香器に容易にアクセス可能であり、カートリッジ１３の交換等のメンテナンスが容易である。
また、放香器１０，１１を座席４０の端部に設置することにより、観客の妨げにならずに、カートリッジ１３の交換が可能になる。
【００８４】
また、カートリッジを短時間で交換することが可能なため、例えば、映画の上映中にカートリッジ１３を交換し、複数の放香を行うこともでき、映画館でのコマーシャル用にも使用することができ、効果的に宣伝することができる。
［実施例２］
【００８５】
前述のように、配管５に柔軟性を有する材質を使用することにより、配管５の設置を直線のみならず、曲線、円形等に配置することができる。以下に、他の実施形態としての放香システムについて図８を用いて説明する。図８は、放香システムにおける他の実施形態の構成を示す図である。
【００８６】
図１及び図６に示す放香システム１は、配管５は直線的に設けられており、配管５の両端である通路側に放香器１０、１１が設置されている。このため、配管５のカートリッジ１３の交換に一方の通路に移動後、他の通路に移動して他のカートリッジ１３を交換する必要がある。
【００８７】
これに対して、同一通路側に一対の放香器１０、１１を設置して、メンテナンス等の効率を上げることが可能である。
【００８８】
図８に示すように、放香システム１００の配管１０５は、２列の座席４０をＵ字形に配置させている。即ち、配管１０５の約半分の長さは１列目の座席４０に設けられて、配管１０５の長さの中央付近で湾曲して次の座席４０で湾曲して２列目の座席４０を通って配管１０５の先端が戻ってくる。配管１０５の両端部の気体供給口１０６から配管内に放香気体をそれぞれ供給する放香器１０、１１に接続する。
【００８９】
このように、配管をＵ字形に配置することにより、同一通路側に一対の放香器が設置されているため、直線的に配置されている配管に比べて、メンテナンス等が容易となる。
【００９０】
上述のように、放香システム１について、映画館における実施形態について述べたが、本発明に係る放香システムは、映画館に限らず配管５から複数の分岐管８が分岐し、放香器１０が配管５の両端から放香気体を圧送可能な配置であれば、座席の配置を、直線、曲線、円形等に配置してもよく、また、配管５から分岐する分岐管８の数によって、大規模、小規模のスペースを問わず、使用することが可能である。
【００９１】
以上の実施形態では、１本の配管５を用い、その配管５の両端の気体供給口６から離れた配管５内での放香気体の濃度が低下するのを回避する構成について説明したが、これに限られるものではない。例えば、少なくとも２本以上の配管５の一端の気体供給口６にコンプレッサ２０を連通させ、複数の配管５の他端の気体供給口６を互いに連通させた構成を採用してもよいものである。この場合、配管５の一端の気体供給口６から少なくとも２台以上のコンプレッサ２０で放香気体をそれぞれの配管５内に圧送することになるが、少なくとも２台のコンプレッサ２０による放香気体の圧送方向を、複数の配管５を連通させた箇所に向けて揃えることが必要である。
【００９２】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００９３】
１、１００    放香システム
５、１０５    配管
６、１０６      気体供給口
７      三方管
８      分岐管
１０、１１    放香器
１２    前面パネル
１３    カートリッジ
１４    芳香剤
１６    流入口
１７    吐出口
１８    パイプ
２０    コンプレッサ
２２    駆動部
２５    制御部
４０    座席
５０    放射部
５５    耳フックタイプ（耳掛けタイプ）
５６    放出口
５７    放射チューブ
５８    耳掛け部
５９    チューブ
６５    メガネ（ゴーグル）タイプ
６６    放出口
６７    放射チューブ
６８    メガネフレームのテンプル
６９    開閉バルブ
【図１】
2018046938.tif 000003
【図２】
2018046938.tif 000004
【図３】
2018046938.tif 000005
【図４】
2018046938.tif 000006
【図５】
2018046938.tif 000007
【図６】
2018046938.tif 000008
【図７】
2018046938.tif 000009
【図８】
2018046938.tif 000010